(57)【要約】  マットレス構造（１）は主軸と、主軸に沿って異なる位置に分布する二つ以上の緩和部材（５１−５９）とを含み、そのうち少なくとも一つの緩和部材（５１−５９）が提供する緩和力がその他の緩和部材が提供する緩和力と異なり、ユーザの体の異なる部位に対し異なる緩和力を提供する緩和層（５）を限定しており、前記緩和層（５）は二つ以上の緩和領域に分けられ、これらの緩和領域はユーザの体の異なる部位に対して区分されており、少なくとも一つ以上の前記緩和領域が異なる寸法の緩和部材（５１−５９）によって構成され、そのうち少なくとも一つの緩和部材が主要緩和部材（５２、５６）であり、該主要緩和部材（５２、５６）が提供する緩和力がその他の緩和部材が提供する緩和力より高く、これらの緩和領域中の緩和部材（５１−５９）をユーザの個人ニーズに合わせて交換又は調節して、前記主要緩和部材（５２、５６）が緩和領域における相対位置を変更し、異なるユーザの異なる身長と体の異なる部位の長さに対応することが可能である。ユーザはサンプルマットレス構造（１）を試すことによって、前記マットレス構造（１）の使用を理解し、かつ該マットレス構造（１）の使用に適しているか否かを決める。
2016506797.tif 000002
【特許請求の範囲】
【請求項１】
ユーザの体の異なる部位又は体の異なる長さに対し異なる緩和及び／又はサポートを提供するためのマットレス構造であって、
主軸と、
主軸に沿って異なる位置に分布する二つ以上の緩和部材とを含み、
少なくとも一つの緩和部材が提供する緩和力がその他の緩和部材が提供する緩和力と異なり、ユーザの体の異なる部位に対し異なる緩和力を提供する緩和層を限定しており、前記緩和層は二つ以上の緩和領域に分けられ、これらの緩和領域はユーザの体の異なる部位に対して区分されており、少なくとも一つ以上の前記緩和領域が異なる寸法の緩和部材によって構成され、そのうち少なくとも一つの緩和部材が主要緩和部材であり、該主要緩和部材が提供する緩和力がその他の緩和部材が提供する緩和力より高く、これらの緩和領域中の緩和部材をユーザの個人ニーズに合わせて交換又は調節して、前記主要緩和部材が緩和領域における相対位置を変更し、異なるユーザの異なる身長と体の異なる部位の長さに対応することが可能であるマットレス構造。
【請求項２】
前記緩和層は、ユーザの肩、臀部と足の三つの部分に対応する三つの緩和領域を含む、請求項１に記載のマットレス構造。
【請求項３】
ユーザの肩、臀部に対応する前記緩和領域はそれぞれ二つ以上の緩和部材を含み、これらの緩和部材をユーザの個人ニーズに合わせて交換又は調節することが可能である、請求項１又２に記載のマットレス構造。
【請求項４】
前記緩和領域の主要緩和部材は、同じ緩和領域のその他の緩和部材と交換又は相対移動することが可能である、請求項１から３のいずれか一項に記載のマットレス構造。
【請求項５】
前記ユーザの肩と臀部に対応する緩和領域はそれぞれ一つの主要緩和部材を含み、前記二つの主要緩和部材はユーザの個人ニーズに合わせて交換又は調節又は相対移動することが可能である、請求項１から４のいずれか一項に記載のマットレス。
【請求項６】
一つの緩和領域内の緩和部材に含まれる主要緩和部材の主軸に沿った寸法は、主要緩和部材を同じ緩和領域のその他の緩和部材に対し位置調整する時、その位置を単位寸法毎に主軸に沿って調節できるように設計されている、請求項５に記載のマットレス構造。
【請求項７】
前記二つの緩和領域の主要緩和部材が提供する緩和力は異なるものである、請求項５又は６に記載のマットレス構造。
【請求項８】
前記緩和層が異なる寸法の緩和部材によって構成され、前記二つの主要緩和部材はユーザの個人ニーズに合わせて交換又は調節又は相対移動して、異なるユーザの異なる身長と体の異なる部位の長さに対応することが可能である、請求項１から７のいずれか一項に記載のマットレス構造。
【請求項９】
前記緩和部材は密度が異なる材料によって構成され、異なる緩和力を提供する、請求項１から８のいずれか一項に記載のマットレス構造。
【請求項１０】
前記緩和部材は硬度が異なる材料によって構成され、異なる緩和力を提供する、請求項１から９のいずれか一項に記載のマットレス構造。
【請求項１１】
緩和層の下に位置する一つ以上の支持層をさらに含む、請求項１から１０のいずれか一項に記載のマットレス構造。
【請求項１２】
前記支持層は二つ以上の単独の支持部材を含む、請求項１１に記載のマットレス構造。
【請求項１３】
前記支持層は反発層を含む、請求項１１又は１２に記載のマットレス構造。
【請求項１４】
緩和部材を収納するためのボトムトレーをさらに含む、請求項１から１３のいずれか一項に記載のマットレス構造。
【請求項１５】
前記ボトムトレーは、ユーザの体の異なる部位に合わせて、かつ二つ以上の緩和領域に対応して、二つ以上のボトムトレー領域に分けられる、請求項１４に記載のマットレス構造。
【請求項１６】
前記ボトムトレー領域は少なくとも二つの緩和部材を詰め合わせ、かつその相対位置を固定するように収納する、請求項１５に記載のマットレス構造。
【請求項１７】
前記ボトムトレーはさらに支持部材を収納する、請求項１６に記載のマットレス構造。
【請求項１８】
少なくとも一つの前記ボトムトレーが三つの緩和部材と一つの支持部材を収納する、請求項１７に記載のマットレス構造。
【請求項１９】
少なくとも一つの前記ボトムトレーが五つの緩和部材と一つの支持部材を収納する、請求項１７に記載のマットレス構造。
【請求項２０】
前記ボトムトレーは周壁を有し、該周壁の高さが緩和部材の少なくとも一部の厚さと重ねるには十分である、請求項１４から１９のいずれか一項に記載のマットレス構造。
【請求項２１】
前記ボトムトレーは柔軟性を有する材料によって製造される、請求項１４から２０のいずれか一項に記載のマットレス構造。
【請求項２２】
前記緩和層は単独にその他の一般的なマットレスに配置して使用することが可能である、請求項１から２１のいずれか一項に記載のマットレス構造。
【請求項２３】
前記マットレス構造は一つ以上の快適層を含み、前記快適層は緩和層間の凹凸を覆うように緩和層の上に配置されて、平坦な表面を形成する、請求項１から２３のいずれか一項に記載のマットレス構造。
【請求項２４】
前記緩和層は孔を有する、請求項１から２３のいずれか一項に記載のマットレス構造。
【請求項２５】
前記緩和層は孔を含み、前記支持層が孔を含み、前記孔と支持層中の孔とが流体連通している、請求項１１から１３のいずれか一項に記載のマットレス構造。
【請求項２６】
前記マットレス構造は一つ以上の快適層を含み、前記快適層が緩和層間の凹凸を覆うように緩和層の上に配置されて、平坦な表面を形成し、前記快適層が孔を有し、快適層中及び支持層中の孔と流体連通している、請求項２５に記載のマットレス構造。
【請求項２７】
前記ボトムトレーは一つの通気構造を有し、緩和層中、支持層中及びパッド層中の孔と流体連通している、請求項２６に記載にマットレス構造。
【請求項２８】
一つ以上の快適層及び、緩和層と快適層との間に設けられた一つ以上の支持ユニットをさらに含む、請求項１から２７のいずれか一項に記載のマットレス構造。
【請求項２９】
二つの前記緩和部材は主要緩和部材であり、これら二つの主要緩和部材が提供する緩和力がその他の緩和部材が提供する緩和力より高く、かつ前記支持ユニットが前記二つの主要緩和部材の間に設けられる、請求項２８に記載のマットレス構造。
【請求項３０】
請求項１から２９のいずれかに記載のマットレス構造の技術的特徴を利用して、ユーザに前記マットレス構造の使用に関する理解を促し、かつ該マットレス構造の使用に適しているか否かを決めさせる方法であって、
（i）販売者がユーザにサンプルマットレス構造を提供し、該サンプルマットレス構造は緩和層を含み、該緩和層が二つ以上の脱着可能な緩和部材を含み、前記緩和層が二つ以上の緩和領域に分けられ、これらの緩和領域がユーザの体の異なる部位に対して区分されており、少なくとも一つ以上の前記緩和領域が異なる寸法の緩和部材によって構成され、少なくとも一つの緩和部材が主要緩和部材であり、該主要緩和部材が提供する緩和力がその他の緩和部材が提供する緩和力より高く、これらの緩和領域中の緩和部材をユーザの個人ニーズに合わせて交換又は調節して、前記主要緩和部材が緩和領域における相対位置を変更し、異なるユーザの異なる身長と体の異なる部位の長さに対応することが可能であるステップと、
（ii）ユーザはサンプルマットレス構造を試すことによって、前記マットレス構造の使用を理解し、かつ該マットレス構造の使用に適しているか否かを決め、ユーザは個人のニーズに基づいて前記主要緩和部材が緩和領域における相対位置を変更して、サンプルマットレス構造を試すステップと、
（iii）ユーザが前記マットレス構造の使用を理解したとして、かつ前記マットレス構造の使用に適していると決めた場合、販売者はユーザに新しいマットレス構造を提供し、サンプルマットレス構造を取り換えるステップを含む方法。
【請求項３１】
緩和層中の少なくとも二つの緩和部材を収納し、緩和部材の相対位置を限定するためのボトムトレーを提供するステップを含む、請求項３０に記載の方法。
【請求項３２】
ユーザは必ずサンプルマットレス構造を持ち帰り、販売店から離れて、一定時間内にサンプルマットレス構造を試し、前記マットレス構造の使用を理解し、及び前記マットレス構造が該ユーザに適しているか否かを決める、請求項３０又は３１に記載の方法。
【請求項３３】
ユーザにサンプルマットレス構造を提供する前に、ユーザが保証金又はマットレス構造を購入する費用を支払う、請求項３０から３２のいずれか一項に記載の方法。
【請求項３４】
ステップ（iii）を、（iiib）サンプルマットレス構造の代わりにその他の同価値の商品を提供するスッテプに置き換える、請求項３３に記載の方法。
【請求項３５】
ステップ（i）の前に、（iａ）ユーザに適した緩和部材の配列順番及び主要緩和部材がその他の緩和部材に対する位置を測定する測定装置を提供するステップを実行する、請求項３０から３４のいずれか一項に記載の方法。
【請求項３６】
ステップ（iａ）はユーザに個人配列説明書を提供することをさらに含む、請求項３５に記載の方法。
【請求項３７】
サンプルマットレス構造の寸法が前記新しいマットレス構造の寸法と異なる、請求項３０から３６のいずれか一項に記載の方法。
【発明の詳細な説明】
【技術分野】
【０００１】
本願は、２０１２年５月２１日に提出した審査中の香港短期特許出願第１２１０４９６１．３号及び香港短期特許出願第１２１０５１２１．７号の権利を請求し、これらの短期特許出願の全ての内容を引用するものである。
【０００２】
本願はマットレス構造、及びマットレス構造の技術的特徴を利用してユーザがその使用に適しているか否かについての理解及び決定を促す方法に関する。
【背景技術】
【０００３】
周知の通り、良いマットレスは睡眠品質を高めることができる。しかし、良いマットレスを選ぶのはなかなか難しい。その理由として、人はそれぞれ年齢、体型及び体重が異なるため、必要とする硬さを一概に言えないこと；人はそれぞれ睡眠習慣が異なるため、好みの硬さも異なること；パートナーと共用の場合、二人の年齢、体型、体格と睡眠習慣などが異なるため、一つのマットレスが二人の異なる要望を同時に満足することが難しいこと；今のニーズに合致したマットレスが見つかったとしても、マットレスは十年以上使用されるのが一般的であり、そのうちユーザに加齢、身体状況及び体型の変化がある一方、マットレスも使用時間が長くなるほど物理的損耗が加速し、年齢と共に移り行くユーザのニーズに応えられなくなるなどが挙げられる。個人の体形体格及び睡眠習慣に合わせてオーダーメードした、かつ個人の変化に伴って異なる硬さ要望にも対応できるマットレスを見つかるのは一層難しいことである。
【０００４】
人類の寿命は延び続けているなか、如何にして人間の長寿に合わせて人体の棟梁――脊柱の健康を維持するかが切実な問題となっている。本発明者は４０年以上に亘って寝具の研究を積み重ね、さらに脊柱保健及び睡眠健康に関する無数の書籍を参考した結果、脊柱の機能を高め、その使用寿命を長くすることは、フィットする枕とフィットするマットレスさえあれば実に難しくないという結論に至り、両者の融合により、脊柱の使用寿命を少なくとも２０〜３０％延長できると推測している（この推定は臨床検証の結果ではない）。世界中に販売されているマットレスを見ると、外見がいくら豪華であっても、最適と言えるものは一つもない。
【０００５】
一、各メーカは人体構造の独特性と個性化について深く理解できていない
１、周知の通り、脊柱は人体の支柱であり、全身をサポートするとともに体が自由に動けるようにしている。脊柱は自然なＳ字型のカーブを有し、仰向けに寝ている場合の断面をみると、頸椎と腰椎の部分が上へ出たアーチ型になっているのが一般的であり、かつ人間の臀部は下へ突き出ているのが一般的であるため、腰椎との相対差が大きく、３〜５寸程度になる。
【０００６】
２、私たちが日中の仕事をこなし、立ったり座ったり又は歩いたりしている間、脊柱は絶えず圧力を受け、かなり疲労しており、脊柱を完全に休められるのは横になって寝る時だけである。横になって寝ている時、人体の受圧点は２箇所あり、一つは背中（男性の場合、横向きに寝ている時特に重くかかる）、もう一つは臀部（女性の場合、骨盤が比較的に大きいため、より重くかかる）である。睡眠品質の良し悪しは、マットレスが受圧点を適切に緩和し、脊柱の自然なＳ字型カーブを有効に保てるか否かが鍵となる。
【０００７】
３、人体の臀部の近くにある、通常“下腰部”と呼ばれる部分は、人体の上半身全体の動きに関わり、かつ体が左右に揺れる際の牽引力を受けるため、脊柱の最も弱い部分でありながら最も圧力を受けている部分である（図面）。日中の活動による“下腰部”への酷使損耗を癒すべく、睡眠時に休ませて日中の損耗を緩和恢復させたいところだが、残念ながら臀部と近すぎて、両者の高低位置及び重量の差が大きいため、横になっても“下腰部”が必要とする支持やサポートは知らないうちに臀部に奪われていく。よって、“下腰部”は最も疲れやすくて最も痛み易い部位であることは明らかである。長期に亘って恢復が得られないことによって、所謂“腰損傷”を引き起こすことになる。“下腰部”は昼夜問わず疲労と加圧が続き、緩和されないうち、その周りの筋膜と神経も次第に充血して腫れるようになり、長引くと炎症と痛み、筋肉の硬直、痺れや麻痺などが起こり、重症の場合は下腰の両サイドに永久的な塊ができて、正常な動作機能に影響することになる。
【０００８】
人体は以上のような独特な構造を有するほか、もっと重要なのは、人はそれぞれ体型、身長、体格が異なる。理論上、それぞれが必要とする支持は唯一無二と言えるため、現在市販の一般的なマットレスは個人それぞれの生理需要に応えるのが難しい。
【０００９】
二、現在市販されている主流の密閉式マットレスのデメリット
１、硬さが一体化しており、支持機能の精確な区分がない
８０年前スプリングマットレスが世に出されてから、ずっと密閉式の一体化構造が用いられてきた。マットレスそれぞれに硬さの差はあり得るが、一つのマットレスにおいて、その大部分の硬さが一つしかなく、かつ材料はメーカによって決められて、顧客にはアレンジする選択余地がほとんどない。
【００１０】
２、大まかに区分されたマットレスは千差万別の人体を支持するのが明かりに無力である
科学技術の発展、時代の進歩に伴い、近年、マットレスの異なる部分の硬さを区分することを試みるメーカもいるが、結局異なる人体のＳ字型カーブに精確にフィットさせることに至っていない。その第一の原因は、メーカがユーザそれぞれの身長、体重、体型を予知できないからである。ユーザの圧力点にどう対応するかの宣伝も実は空論であり、広告が実体を上回るものである。また、第二の原因は、独立スプリングの直径が小さくて６−７ｃｍであり、さらにスプリング間の距離を加えると、個別ユーザの体形に正確に合わせることは、絶対に不可能である。個人の身長差により、同じ部位でも人によってその受圧点の位置と面積に大きな差があるため、大まかに頭と胴体と足の領域にしか区分できないマットレスは、ミリ単位まで細かい支持要求を満足するのがとても難しく、所謂豪厘の誤が千里のずれとはこのことであろう。人それぞれの体格の差により、一体化のマットレスを夫婦二人で共用した場合、当然ながら二人のニーズを同時に満たすことはできない。
【００１１】
３、“下腰部”の痛み――“忘れられた”宙に浮く部位
医学調査によると、中年層の６０−７０％の人が腰背中の疲労損傷に悩んでいるという。腰背中の疲労損傷の原因は労働作業だけではなく、その多くは横になった時でも“下腰部”が適切に支持されないことによるものである。一体化及び密閉式構造のマットレスにより“下腰部”を確実にサポートできることはめったにない。その理由は、“下腰部”よりその下の臀部が重たく、物理的な牽引効果により、マットレスの表層が自然と臀部と共に凹むため、“下腰部”へ支持が奪われ、ずっと宙に浮いた状態になり、絶えない圧力を受けて、リラックスすることができない。しかし、ほとんどのメーカはこの問題を見落としているか、又は立ち向かう実力がないかもしれない。市販されているマットレスのなか、脊柱の寿命を延ばすところか、脊椎損傷の間接原因となり、脊椎の寿命消耗を加速させる恐れのあるものも存在する。
【００１２】
４、独立スプリングの見かけだけの“独立”
密閉式のスプリングマットレスは、ここ１０数年そのスプリング設計についていろいろ工夫されている。例えば、“独立ポケット入りスプリング”、“単線連結スプリング”、“連環支持スプリング”、“特細特密多数スプリング”、“二層／三層スプリング”などがある。客観的に言うと、その一部は若干な変更があり、少なくとも名称がとても説得力がある。例えば、“独立ポケット入りスプリング”はその広告が実に“魅力的”であり、スプリングの片方の隣にシャンパンを満杯のグラスを置き、スプリングのもう片方の隣にボーリングボールを落としたところ、画面のグラスは少しも揺れる様子が見られなかった。この“独立袋入り”の演出は一瞬にして多くの人を魅了したが、実はからくりがある。画面をよく見ると、グラスの下に透明なゴムシートが敷かれており、画面上のスプリングは確かに“独立”している。しかし、実際の“独立ポケット入りスプリング”マットレスは当然ながら透明なゴムシートがなく、スプリングの間にも必ずその他の材料が連結して成型され、スプリングの裏と表にそれぞれ３〜６層の大判の保護パッド、支持パッド、快適パッドが敷かれ、さらに豪華なカバーを加えた結果、“独立”が豪華な装いに埋もれることは明らかであり、ここでもしボーリングボールを落とした場合、人間までが跳ね飛ばされるかもしれない。
【００１３】
５、マットレスに過剰な厚さ及び豪華さを追求するあまり、自分を窮地に追い込んだ現状
近年、マットレスの流行と言えば、異常なほど厚さと豪華さを追求し、大きさが増え続け、ともすれば重量が６０〜７０Ｋｇになる。しかし、スプリングマットレスはどれも金属疲労の問題を避けられず、マットレスの耐久性及び使用寿命を長くしようと、マットレスメーカは、商品を買い上げた顧客に対し、ベッドの上で６０〜７０Ｋｇもあるマットレスの向きを定期的に変えるという高難度な動作を求めている。これは消費者に迷惑をかけるだけではなく、消費活動の笑い話ではないか。
【００１４】
また、このような巨体なマットレスは運搬にも問題と無駄が生じる。特に古いビルなどは、エレベータがないところが多く、又はエレベータがあっても狭くて大きなマットレスが入りきれない場合がある。このような場合、特別にビルの外壁に吊り上げ装置を設置しないと指定の階までマットレスを運べないため、さらにコストと手間がかかる。さらに厄介なのは、吊り上げ装置を設置できない高層ビルの場合、作業員がマットレスを担いで階段を上るしか方法がなく、労災などが起こりやすく、社会の医療負担を重くするほか、階段沿いの共用部分の設備や装飾に衝突した場合、余計に損失が発生する。
【００１５】
６、密閉式マットレス――細菌とダニが増殖する大温床
全体的に言うと、各種の密閉式一体化型のスプリングマットレスは重大な欠点が多く、ユーザに不安と不便を与えており、特に、中身の材料についてユーザは知る由もない。中のスプリングが錆びたり、詰め物にカビが生えたり、細菌又はダニが増えたり、さらに異臭がしても、マットレスがあまりにも大きくて、密封されているため、ユーザにできることなく、マットレス内に細菌、ダニ及び異臭が溜り続けていることを知っていても、我慢するしかなく、毎晩心配しながら細菌やダニと眠る羽目になる。これは現代の高度な科学技術に対し、実に皮肉なことである。
【発明の概要】
【発明が解決しようとする課題】
【００１６】
本発明はマットレス構造を提供し、特に脱着可能なマットレス構造を提供する。
【課題を解決するための手段】
【００１７】
本発明の一実施例のマットレス構造は、ユーザの体の異なる部位又は体の異なる長さに対し異なる緩和及び／又はサポートを提供するためのものであり、該マットレス構造は主軸と、主軸に沿って異なる位置に分布する二つ以上の緩和部材とを含み、少なくとも一つの緩和部材が提供する緩和力がその他の緩和部材が提供する緩和力と異なり、ユーザの体の異なる部位に対し異なる緩和力を提供する緩和層を限定しており、前記緩和層は二つ以上の緩和領域に分けられ、これらの緩和領域はユーザの体の異なる部位に対して区分されており、少なくとも一つ以上の前記緩和領域が異なる寸法の緩和部材によって構成され、そのうち少なくとも一つの緩和部材が主要緩和部材であり、該主要緩和部材が提供する緩和力がその他の緩和部材が提供する緩和力より高く、これらの緩和領域中の緩和部材をユーザの個人ニーズに合わせて交換又は調節して、前記主要緩和部材が緩和領域における相対位置を変更し、異なるユーザの異なる身長と体の異なる部位の長さに対応することが可能である。
【００１８】
好ましくは、前記緩和層は、ユーザの肩、臀部と足の三つの部分に対応する三つの緩和領域を含む。
【００１９】
好ましくは、ユーザの肩、臀部に対応する前記緩和領域はそれぞれ二つ以上の緩和部材を含み、これらの緩和部材をユーザの個人ニーズに合わせて交換又は調節することが可能である。
【００２０】
好ましくは、前記緩和領域の主要緩和部材は、同じ緩和領域のその他の緩和部材と交換又は相対移動することが可能である。
【００２１】
好ましくは、前記ユーザの肩と臀部に対応する緩和領域はそれぞれ一つの主要緩和部材を含み、前記二つの主要緩和部材はユーザの個人ニーズに合わせて交換又は調節又は相対移動することが可能である。
【００２２】
好ましくは、一つの緩和領域内の緩和部材に含まれる主要緩和部材の主軸に沿った寸法は、主要緩和部材を同じ緩和領域のその他の緩和部材に対し位置調整する時、その位置を単位寸法毎に主軸に沿って調節できるように設計されている。
【００２３】
好ましくは、前記二つの緩和領域の主要緩和部材が提供する緩和力は異なるものである。
【００２４】
好ましくは、前記緩和層が異なる寸法の緩和部材によって構成され、前記二つの主要緩和部材はユーザの個人ニーズに合わせて交換又は調節又は相対移動して、異なるユーザの異なる身長と体の異なる部位の長さに対応することが可能である。
【００２５】
好ましくは、前記緩和部材は密度が異なる材料によって構成され、異なる緩和力を提供する。
【００２６】
好ましくは、前記緩和部材は硬度が異なる材料によって構成され、異なる緩和力を提供する。
【００２７】
好ましくは、緩和層の下に位置する一つ以上の支持層をさらに含む。
【００２８】
好ましくは、前記支持層は二つ以上の単独の支持部材を含む。
【００２９】
好ましくは、前記支持層は反発層を含む。
【００３０】
好ましくは、緩和部材を収納するためのボトムトレーをさらに含む。
【００３１】
好ましくは、前記ボトムトレーは、ユーザの体の異なる部位に合わせて、かつ二つ以上の緩和領域に対応して、二つ以上のボトムトレー領域に分けられる。
【００３２】
好ましくは、前記ボトムトレー領域は少なくとも二つの緩和部材を詰め合わせ、かつその相対位置を固定するように収納する。
【００３３】
好ましくは、前記ボトムトレーはさらに支持部材を収納する。
【００３４】
好ましくは、少なくとも一つの前記ボトムトレーが三つの緩和部材と一つの支持部材を収納する。
【００３５】
好ましくは、少なくとも一つの前記ボトムトレーが五つの緩和部材と一つの支持部材を収納する。
【００３６】
好ましくは、前記ボトムトレーは周壁を有し、該周壁の高さが緩和部材の少なくとも一部の厚さと重ねるには十分である。
【００３７】
好ましくは、前記ボトムトレーは柔軟性を有する材料によって製造される。
【００３８】
好ましくは、前記緩和層は単独にその他の一般的なマットレスに配置して使用することが可能である。
【００３９】
好ましくは、前記マットレス構造は一つ以上の快適層を含み、前記快適層は緩和層間の凹凸を覆うように緩和層の上に配置されて、平坦な表面を形成する。
【００４０】
好ましくは、前記緩和層は孔を有する。
【００４１】
好ましくは、前記緩和層は孔を含み、前記支持層が孔を含み、前記孔と支持層中の孔とが流体連通している。
【００４２】
好ましくは、前記マットレス構造は一つ以上の快適層を含み、前記快適層が緩和層間の凹凸を覆うように緩和層の上に配置されて、平坦な表面を形成し、前記快適層が孔を有し、快適層中及び支持層中の孔と流体連通している。
【００４３】
好ましくは、前記ボトムトレーは一つ通気構造を有し、緩和層中、支持層中及びパッド層中の孔と流体連通している。
【００４４】
一つ以上の快適層及び、緩和層と快適層との間に設けられた一つ以上の支持ユニットをさらに含む。
【００４５】
好ましくは、二つの前記緩和部材は主要緩和部材であり、これら二つの主要緩和部材が提供する緩和力がその他の緩和部材が提供する緩和力より高く、かつ前記支持ユニットが前記二つの主要緩和部材の間に設けられる。
【００４６】
本発明の別の実施形態は、請求項１から２８のいずれかに記載のマットレス構造の技術的特徴を利用して、ユーザに前記マットレス構造の使用に関する理解を促し、かつ該マットレス構造の使用に適しているか否かを決めさせる方法であって、
（i）販売者がユーザにサンプルマットレス構造を提供し、該サンプルマットレス構造は緩和層を含み、該緩和層が二つ以上の脱着可能な緩和部材を含み、前記緩和層が二つ以上の緩和領域に分けられ、これらの緩和領域がユーザの体の異なる部位に対して区分されており、少なくとも一つ以上の前記緩和領域が異なる寸法の緩和部材によって構成され、少なくとも一つの緩和部材が主要緩和部材であり、該主要緩和部材が提供する緩和力がその他の緩和部材が提供する緩和力より高く、これらの緩和領域中の緩和部材をユーザの個人ニーズに合わせて交換又は調節して、前記主要緩和部材が緩和領域における相対位置を変更し、異なるユーザの異なる身長と体の異なる部位の長さに対応することが可能であるステップと、
（ii）ユーザはサンプルマットレス構造を試すことによって、前記マットレス構造の使用を理解し、かつ該マットレス構造の使用に適しているか否かを決め、ユーザは個人のニーズに基づいて前記主要緩和部材が緩和領域における相対位置を変更して、サンプルマットレス構造を試すステップと、
（iii）ユーザが前記マットレス構造の使用を理解したとして、かつ前記マットレス構造の使用に適していると決めた場合、販売者はユーザに新しいマットレス構造を提供し、サンプルマットレス構造を取り換えるステップを含む。
【００４７】
好ましくは、緩和層中の少なくとも二つの緩和部材を収納し、緩和部材の相対位置を限定するためのボトムトレーを提供するステップを含む。
【００４８】
好ましくは、ユーザは必ずサンプルマットレス構造を持ち帰り、販売店から離れて、一定時間内にサンプルマットレス構造を試し、前記マットレス構造の使用を理解し、及び前記マットレス構造が該ユーザに適しているか否かを決める。
【００４９】
好ましくは、ユーザにサンプルマットレス構造を提供する前に、ユーザが保証金又はマットレス構造を購入する費用を支払う。
【００５０】
好ましくは、ステップ（iii）を、（iiib）サンプルマットレス構造の代わりにその他の同価値の商品を提供するスッテプに置き換える。
【００５１】
好ましくは、ステップ（i）の前に、（iａ）ユーザに適した緩和部材の配列順番及び主要緩和部材がその他の緩和部材に対する位置を測定する測定装置を提供するステップを実行する。
【００５２】
好ましくは、ステップ（iａ）はユーザに個人配列説明書を提供することをさらに含む。
【００５３】
好ましくは、サンプルマットレス構造の寸法が前記新しいマットレス構造の寸法と異なる。
【００５４】
詳細な説明と図面を通じて、本発明のその他の実施形態も明確になる。
【図面の簡単な説明】
【００５５】
【図１Ａ】本発明の実施形態のマットレス構造の透視図である。
【図１Ｂ】図１Ａが示すマットレス構造の接続部材の拡大図である。
【図２】図１Ａが示すマットレス構造のカバー部分を開けた透視図である。
【図３】図１Ａが示すマットレス構造のカバー部分を開いた透視図である。
【図４Ａ】図１Ａが示すマットレス構造の透視図である
【図４Ｂ】図４Ａが示すマットレス構造の一部の拡大図である。
【図５】図１Ａが示すマットレス構造のボトムトレーの透視図である。
【図６】図１Ａが示すマットレス構造の分解図である。
【図７】図１Ａが示すマットレス構造の支持層の一部の概略図である。
【図８】図１Ａが示すマットレス構造の緩和層の一部の概略図である。
【図９】図１Ａが示すマットレス構造の緩和層の一部の概略図である。
【図１０】図１Ａが示すマットレス構造の断面図であり、女性用緩和層を含む。
【図１１】図１Ａが示すマットレス構造の断面図であり、男性用緩和層を含む。
【図１２】図１０が示すマットレス構造の断面図であり、女性用緩和層の緩和部材における異なる配列を含む。
【図１３】図１Ａが示すマットレス構造の断面図であり、男性用緩和層の緩和部材における異なる配列を含む。
【図１４Ａ】図１０が示すマットレス構造の断面図であり、女性用緩和層の緩和部材における異なる配列を含む。
【図１４Ｂ】図１０が示すマットレス構造の断面図であり、女性用緩和層の緩和部材における異なる配列を含む。
【図１４Ｃ】図１０が示すマットレス構造の断面図であり、女性用緩和層の緩和部材における異なる配列を含む。
【図１４Ｄ】図１０が示すマットレス構造の断面図であり、女性用緩和層の緩和部材における異なる配列を含む。
【図１５】図１Ａが示すマットレス構造の使用時の概略図である
【図１６Ａ】一般的なマットレス構造の使用時の概略図である。
【図１６Ｂ】一般的なマットレス構造の使用時の概略図である。
【図１６Ｃ】一般的なマットレス構造の使用時の概略図である。
【図１６Ｄ】一般的なマットレス構造の使用時の概略図である。
【図１７】本発明の別の実施形態のマットレス構造の概略図である。
【図１８】図１７が示すマットレス構造の分解図である。
【図１９】図１７が示すマットレス構造の別の例の分解図である。
【図２０Ａ】図１８が示すマットレス構造の緩和層の緩和部材の一例の断面図である。
【図２０Ｂ】図１９が示すマットレス構造の緩和層の緩和部材の別の例の断面図である。
【図２０Ｃ】図２０Ａと２０Ｂが示すマットレス構造の下の層の配置が異なる場合の俯瞰図である。
【図２０Ｄ】図２０Ａが示すマットレス構造の異なる配置の緩和層の俯瞰図である。
【図２０Ｅ】図２０Ｂが示すマットレス構造の異なる配置の緩和層の俯瞰図である。
【図２０Ｆ】図２０Ａと２０Ｂが示すマットレス構造の異なる配置の支持層の俯瞰図である。
【図２１】本発明の別の実施形態のマットレス構造の概略図であり、腰保護パッドを含む。
【図２２】図２１が示すマットレス構造において、腰保護パッドが異なる位置に設置された場合の図である。
【図２３】図２１が示すマットレス構造の一部の概略図である。
【図２４Ａ】図２１が示す腰保護パッドの拡大図である。
【図２４Ｂ】図２１が示す腰保護パッドの拡大図である。
【発明を実施するための形態】
【００５６】
本発明の実施形態を詳しく説明する前に、本発明の応用は以下の詳細説明又は図面で示された細部構造及び部材配置に限定されないことを理解すべきである。本発明はその他の実施形態を含み、かつ多様な方式で実践、実施可能である。
【００５７】
マットレス構造（マットレス）１はその底面から表面までが大まかに二層に分けられ、支持層４と緩和層５を含む。異なる実施例において、マットレス構造１は快適パッド層（快適層）３を含む。当該快適パッド層３を二つに分けることができる。好ましくは、マットレス１全体がカバー６とボトムトレー２に包まれている。ユーザは快適パッド層３、支持層４と緩和層５に直接触れることなく、マットレス構造１を清潔に保てる。当該マットレス構造１を単独に又は一般的なマットレスの上に配置して使用することができる。一般的なマットレスの上に配置して使用する場合、支持層４を省略してもよい。快適パッド層３と緩和層５をそれぞれ一般的なマットレスの上に配置して使用すればよい。
【００５８】
マットレス構造１はシングルマットレス構造１又はダブルマットレス構造１であってもよい。このダブルマットレス構造１はシングルマットレス構造１を重ねたものである。
【００５９】
ボトムトレー２は略長方形であり、大きさが一般的なマットレスと差がない。シングルマットレス構造１に用いられるシングルボトムトレー２、又はダブルマットレス構造１に用いられるダブルボトムトレー２であってもよい。ボトムトレー２は四辺を有する。各辺に沿って上へ延伸する縁部２１、２２、２３と２４がある。各縁部２１、２２、２３と２４は繋がって囲い壁を形成する。一実施形態において、囲い壁２１、２２、２３と２４の高さは緩和層５の一部の縁を覆うに十分で、又はそれ以上である。これにより、囲い壁が支持層４中の各支持部材４１ないし４３、及び緩和層５中の各緩和部材５１ないし５９の相対位置を維持できる。
【００６０】
囲い壁内は一つの内空間が限定されている。好ましくは、ボトムトレー２が仕切り板２５を含み、内空間を二つ以上の領域２６ないし２８に分ける。好ましくは、シングルボトムトレー２が二つ又は三つの領域２６ないし２８に分けられ、ダブルボトムトレー２が二組の二つ又は三つの領域２６ないし２８に分けられる。これらのボトムトレー領域２６ないし２８は、対応する緩和部材５１ないし５９の相対位置を固定し、かつこれらの緩和部材５１ないし５９を詰め合わせる。仕切り板２５の高さは支持部材４１ないし４３の高さと同じぐらいでよい。
【００６１】
図１Ｂが示すように、カバー６の底周縁は接続部材６２によってボトムトレー２の頂周縁と接続する。該接続部材６２はフェスナーであってもよい。カバー６とボトムトレー２は、人工革、不織布を含む伸縮性と柔軟性を有する材料で構成される。カバー６はその頂部の表面に接続部材６１を有し、該接続部材６１はフェスナーであってもよい。図２が示すよう、接続部材６１と６２を開けると、カバー６の少なくとも一部を開けることができて、ユーザが快適層３、支持層４と緩和層５を触ることができる。ユーザは快適層３、支持層４と緩和層５を整えることができる。
【００６２】
また、カバー６の一角又は一対の対角又は周辺の四角に取っ手／ノブ６３を設けてもよい。該取っ手６３により、ユーザはマットレス構造１全体を簡単に動かすことができて、シーツ又はボックスカバーの交換が簡単になる。取っ手６３は布又はブラスチック製であってもよい。
【００６３】
好ましくは、快適パッド層３がラテックス又はその他の弾力性材料、例えば形状記憶スポンジによって形成される。ダブル快適パッド層３は二つのシングル快適パッド層３を合わせたものでもよい。
【００６４】
一般的なマットレスは中身材料として金属スプリングを使用するが、金属スプリングを使用する場合のデメリットは、マットレスを折り畳んだり曲げたりできず、運搬や掃除しにくく、細菌、埃、ダニが増殖する温床になることである。湿気によってマットレスにカビが生え、異臭がしても、ユーザはどうにもできない。金属スプリングはある程度使用すると、疲労しやすく、金属の摩擦音が発生し易く、人体に突き刺さったケースもある。ベッド全体の金属スプリングから発生する磁場は、人の脳波を十分影響するほどのものであり、安眠を妨げ、睡眠品質を著しく低下させる。
【００６５】
支持層４は弾力性のある軟性材料によって構成される。好ましくは、支持層４が一つの長方形の支持層又は二つ若しくは四つ、三つ若しくは六つの支持層ユニット（支持部材）４１ないし４３によって構成される。該支持層ユニット４１ないし４３は独立した部材である。シングル支持層は三つの支持層ユニット４１ないし４３を含み、マットレス構造１の軸Ｘの方向に沿って順に配置される。ダブル支持層４は並列した二つのシングル支持層４によって構成される。なお、一実施形態において、支持層ユニット４１ないし４３はそれぞれボトムトレー２の三つ又は六つの領域２６ないし２８の中に収納される。これらの支持層ユニット４１ないし４３は交換可能及び／又は脱着可能及び／又は移動可能及び／又は入れ替え可能に領域２６ないし２８の中に収納される。
【００６６】
移動変化可能な緩和層５の主な機能は、ユーザに圧力緩和を提供することである。緩和層５は二つ以上の独立した緩和部材５１ないし５９によって構成される。これらの緩和部材５１ないし５９は交換可能及び／又は脱着可能及び／又は移動可能及び／又は入れ替え可能にボトムトレー領域２６ないし２８の中及び支持層４の上に収納される。つまり、各緩和部材５１ないし５９の相対位置は変動可能である。好ましくは、図３ないし８が示すように、緩和層５が九つの緩和部材５１ないし５９によって構成される。各緩和部材５１ないし５９はそれぞれ事前に確定された幅Ａを有する。緩和層５は大まかに長さ２５寸の三つの緩和領域５１ないし５３、５４ないし５８及び５９に分けられ、ユーザの肩、臀部と足の三つの部分に対応する。
【００６７】
第一領域２６／７１はユーザの頭と肩に対応し、緩和部材５１ないし５３によって構成される。緩和部材５１は幅１３寸であり、緩和部材５２は幅１０寸であり、緩和部材５３は幅２寸であり、それぞれユーザの頭、肩と背中の上部の圧力を緩和する。該領域２６において一つの主要緩和位置があり、一つの主要緩和部材５２によって構成される。この主要緩和部材５２の位置はユーザの肩に対応するように設定されている。主要緩和部材５２の緩和力はその他の領域の緩和部材５１と５３より高い。好ましくは、当該主要緩和部材５２の材料は緩和部材５１と５３の材料より柔らかい。ユーザが横向きに寝ている場合、図４と６が示すように、肩は頭と背中の上部より広く、特にユーザが男性の場合、より多くの空間が必要である。マットレス構造１を使用する場合、主要緩和部材５２は同じ領域のその他の緩和部材５１と５３に比べて、形状変換がより大きく、より高い緩和効果が得られる。従って、主要緩和部材５２はより明確な緩和機能を提供することがきる。
【００６８】
第二領域２７／７２はユーザの背中の下部、腰、臀部と膝部に対応する。緩和部材５４ないし５８によって構成される。女性と男性は体の部位と身長に差があるため、緩和部材５４ないし５８の配列も異なる。図１０が示すように、緩和部材５４の幅は３寸、緩和部材５５の幅は２寸、緩和部材５７の幅は４寸、緩和部材５８の幅は６寸である。女性用マットレス構造１において、緩和部材５４ないし５８の順に配列される。男性用マットレス構造において、緩和部材の配列が女性用と異なる。緩和部材５７が首位に並べられ、続いて緩和部材５５、５６、５４と５８である。同じ領域の異なる緩和部材を互いに入れ替え、移動させることができるため、ユーザは女性用マットレス構造を簡単に男性用マットレス構造に変えることができる。
【００６９】
第二領域２７／７２において、緩和部材５６の幅がその他の緩和部材５４、５５、５７と５８の幅より大きい。この領域２７／７２において一つの主要緩和位置があり、一つの主要緩和部材５６によって構成される。該主要緩和部材５６は１０寸であり、緩和部材５６がユーザの臀部に対応して設置され、比較的大きな緩和力を提供する。主要緩和部材５６の緩和力は同じ領域のその他の緩和部材５５、５７、５８より高い。緩和部材５４と５５はともにユーザの背中の下部と腰部のために設置される。緩和部材５７と５８はユーザの太ももと膝部の圧力を緩和する。
【００７０】
女性用マットレス構造１の第二領域２７／７２の主要緩和部材５６は、第一領域２６／７１の主要緩和部材５２より高い緩和力を有する。これは、女性が平らに寝ている時または横向きに寝ている時、臀部が肩より突出するのが一般的であり、臀部が肩よりも高い緩和力を必要とするからである。
【００７１】
男性用マットレス構造１の第一領域２６／７１の主要緩和部材５２は、第二領域２７／７２の主要緩和部材５６より高い緩和力を有する。これは、男性の肩が臀部より突出し、受圧も大きいため、特に横向きに寝ている時、より高い緩和を必要とするからである。主要緩和部材５２と５６の幅がいずれも１０寸であるため、この二つの緩和部材５２と５６を入れ替えることで、女性用マットレス構造１から男性用マットレス構造１に変更できる。逆の場合も同じである。
【００７２】
仰向きに寝ている時、男性と女性はいずれも臀部が体のその他の部位より突出し、主要緩和部材５６が高い緩和を提供することができる。臀部が緩和不足の場合、図１６Ａと１６Ｂが示すように、直接脊柱に不良影響を与え、その負担を増やすことになる。
【００７３】
市販されている一般的なマットレスは主要の圧力点に対する緩和構造がなく、臀部と肩の受圧を重大化させ、頸椎、胸椎及び骨盤が水平線を維持できなくなる恐れがある。このような姿勢は呼吸と血液循環に影響があるだけではなく、長期になると頸椎の捻挫に繋がる恐れがある。本発明のマットレス構造は個人の異なる身体特徴に基づいて、個人の身体の核心圧力点の位置（肩／肩の骨、および臀部／臀部の骨）を追跡し、主要緩和部材５２と５６を対応する位置に設置し、圧力を適切に緩和するものである。
【００７４】
緩和層５の緩和部材５１ないし５９の配列及び主要緩和のレベルを自由に変更すること可能であり、例えば、主要緩和部材５２と５６を入れ替えるだけで、緩和部材を交換調節し、目的に合った有効な緩和を提供することができる。緩和部材５１と５９は異なる緩和レベルを有し、軽微、中度及び強度に分けられる。受圧点が十分に緩和されると、筋肉は自然とリラックスし、血液循環も改善され、寝起きの麻痺、痺れと疲労感を改善できる。
【００７５】
第三領域２８／７３はユーザの足に対応し、優先的に膝以下に対応し、緩和部材５９によって構成される。“足”部の受圧点が比較的に均等であることから、緩和点をさらに細分化する必要がないが、上記と同じように、異なる密度及び異なる硬さの材料を選択することができる。緩和部材５９は主要緩和部材であってもよい。好ましくは、その緩和レベルがその他の主要緩和部材５２と５６と一致する。
【００７６】
すべての緩和部材５１〜５９を個別に交換又は代替することができる。従って、一つの緩和部材を使い古した場合、その他の緩和部材を影響することなく、交換又は代替を行うことができる。
【００７７】
異なるユーザの異なる身長と腰部の長さに合わせて、別の実施形態では、図１２と１３が示すように、第一領域の緩和部材５１ないし５３の幅がそれぞれ１３寸、１０寸と２寸である。第二領域の緩和部材５４ないし５８は交換可能であり、かつ異なる配列順番を有する。実施形態Ａが示すように、緩和部材５４ないし５８の順に配列される。この実施形態は腰部の長さが約５寸のユーザに適用される。実施形態Ｂが示すように、まず緩和部材５７を並べ、続いて緩和部材５５、５６、５４と５８である。該実施形態は腰部が約６寸のユーザに適用される。実施形態Ｃが示すように、まず緩和部材５７を並べ、続いて緩和部材５４、５６、５５と５８である。該実施形態は腰部の長さが約７寸のユーザに適用される。実施形態Ｄが示すように、まず緩和部材５８を並べ、続いて緩和部材５５、５６、５４と５７である。該実施形態は腰部の長さが約８寸のユーザに適用される。実施形態Ｅが示すように、まず緩和部材５８を並べ、続いて緩和部材５４、５６、５５と５７である。該実施形態は腰部の長さが約９寸のユーザに適用される。
【００７８】
別の実施形態において、図１４Ａないし１４Ｄが示すように、第一領域の緩和部材５１ないし５３は交換可能であり、かつ異なる配列順番を有する。実施形態のバージョン１が示すように、緩和部材５１ないし５３の順に配列される。この実施形態は比較的に短い枕を用いるユーザに適用される。実施形態のバージョン２が示すように、まず緩和部材５１を並べ、続いて緩和部材５３と５２である。該実施形態は比較的に長い枕を用いるユーザに適用される。例えば、一般的にヨーロッパに市販されている枕など。実施形態のバージョン１が示すように、緩和部材５１ないし５３の順に配列される。この実施形態は比較的に短い枕を用いるユーザに適用される。実施形態のバージョン２が示すように、まず緩和部材５１を並べ、続いて緩和部材５３と５２である。該実施形態は比較的に長い枕を用いるユーザに適用される。例えば、一般的にヨーロッパに市販されている枕など。また、実施形態のバージョン３が示すように、まず緩和部材５３を並べ、続いて緩和部材５１と５２である。異なる実施例に各バージョンを応用することによって、異なる組み合わせを多数編みだし、異なるユーザのニーズに応えられる。
【００７９】
この新しい発明は、現在市販されているすべての密封一体化型のスプリングマットレスの欠点（前文に述べた通り）を完全に解決できるものであり、衛生、安全、便利さ、健康、環境及び快適さといった面のおいても著しく進歩を遂げており、特に脊椎の保護について、画期的で卓越した機能を有する。発明の最終目的は、人が横になった時、体の重量を確実に、均等に緩和及び支持することにある。この目標の達成は、人類の長寿に貢献するであろう。
【００８０】
人体の脊柱のS字型構造、直立して活動するという特徴から、脊柱はその形成上二つの比較的に弱い部分がある。一つは頸椎であり、もう一つは腰椎であり、特に“下腰部”が挙げられる。前者が頭部の重量だけを担うに対し、後者は頭部を含む上半身全体をサポートしており、さらに胴体の左右への揺れ、疾走跳躍、担持押し上げ、前後弯曲といったいろいろな高負荷高難度の活動に耐え続けており、その疲労と負担が脊柱全体において最も大きいことが簡単に想像できる。しかし、横になった時に、いつも忘れられ又は見落とされている。
【００８１】
新しい発明は上記目標を実現すべく、精巧な三組の“移動可能で、変化可能な核心圧力緩和層”（“緩和層”と略称する）を新たに設計し、一組は“頭肩緩和層”と呼ばれる第一領域７１であり、頭と肩に置き、もう一組は“腰臀部緩和層”と呼ばれる第二領域７２であり、腰と臀部に置く。足部の“緩和層”は一つの塊であり、移動組合せを含まない第三領域７３である。一つの緩和領域７１、７２、７３内の緩和部材５１〜５９において、主要緩和部材の主軸に沿った寸法は、主要緩和部材５２、５６の位置が同じ領域内の別の緩和部材５１-５９に対し調節された時、その位置を単位寸法毎に主軸に沿って調節できるように設計している。各単位寸法は１”である。
【００８２】
各緩和層５が２つ以上の厚さ（又は高さ）を有し、例えば３”又は４”である。第一領域７１及び第二領域７２はそれぞれ２種類以上の異なる緩和レベルの材料によって構成される。二つの組み合わせは発明者の長期に亘る観察、細心の研究、入念の計算による成果である。例えば、“第一領域７１は幅が２”、１０”及び１３”の三つの材料によって構成され、第二領域７２は幅が２”、３”、４”、６”及び１０”の五つの材料によって構成される。これにより、５つ以上の異なる寸法に組み合わせることが可能となり、各寸法により緩和位置に最小で１”の差をもたらし、即ち、腰部を支持する長さを少なくとも５”以上伸縮させることができる。腰の長さは身長の１／３を占めるため、上記の組み合わせで身長差が１”から１５”までをカバーできる。
【００８３】
同じ密度の材料でも、異なる面積又は異なる幅によって異なる硬さ効果が得られる。基本的には、上面積が大きいほど硬さが強くなり、逆に面積が小さいほど柔らかくなる。これは物理学の自然原則であり、二組の緩和層もこの原則に従って配置され、体積の小さいもの（幅が比較的に狭い）を優先的に柔らかい材料の傍に近づけ、このように、硬さ支持をより安定した滑らかものにする。
【００８４】
体格も要望も異なる夫婦の場合も、新しい発明は大いに役に立つ。まず、マットレスの支持を両サイドに分けて、それぞれ独立の“王国”にすることができる。“腰臀部緩和層”において自分に適した組み合わせで配置することができ、硬さレベルも各自に適宜調整できる。新しいい発明のマットレスは三層以上の異なる機能、異なる密度、異なる材料の部分が重なった構成である。最も下の層は支持層４であり、二種類以上の硬さを有し、真ん中の層は緩和層５であり、例えば３”と４“など二種類以上の厚さを有し、各厚さが二種類以上の異なる快適レベルを有し、一番上の層は快適層３であり、これも二種類以上の硬さを有する。これら３層の積層組合せだけでも、１６種類以上の異なる硬さ効果が得られ、誰でも自分好みの組合せを手軽に選択できる。マットレスの最も重要な機能は体の各部位を支持することにあり、最適な支持方式というと、実は圧力を分散及び緩和することである。
【００８５】
本マットレス構造１の最大の特徴は組み合わせが自由である。ユーザが二人の場合、マットレス構造１を独立した左、右二つのサイドに分けて、ユーザ個人の体格、睡眠習慣及び好みに基づいて、自分に適した硬さと快適度のマットレスの組み合わせを選択することが可能であり、同時に、お互いに対する干渉を最も低いレベルまで低減し、“共同”でありながら“独立”した睡眠空間を実現できる。
【００８６】
ユーザが一人の場合、“肩”、“臀部”の二つの受圧点を支持するほか、生理変化がもたらす異なるニーズにも応えられる。既に述べた通り、“肩の骨”と“骨盤”は重要な支持領域点であり、特別な支持が必要である。この点を理解するのは難しくないが、多くの人は、身体状況の変化、加齢、生活習慣又は働き方の絶えぬ変化に伴って、マットレスに対するニーズも変化することを想到できない。
【００８７】
例えば、妊娠中の女性にとって、妊娠期間の胎児の重量、腰部にかかる余分な負荷、又はいつも両足がつったりする場合など、いずれも妊婦がマットレスに対する要望を影響する。例えば、腰部が特別なサポートを必要とする場合、比較的に硬い材料で腰骨をサポートする必要がある一方、体にフィットする快適な柔らかいパッドで筋膜をリラックスさせる必要もある。両足がつった場合、妊婦は“足”部支持領域を高くして、両足を軽く上げることで、血液循環を促進し、症状を和らげることができる。
【００８８】
さらに、短期間の激しい運動により腰や腕に痛みがある場合、又は働き方の変化、例えば、いつも入力作業を行っているため肩に痛みがある場合など、いずれも異なるニーズが生まれ、マットレスの緩和材料を変えて、目的別に異なるレベルの緩和を提供することができる。多元化の組合せの特徴により、ユーザが異なる人生階段においてマットレスに求めるものを満足することができる。最も簡単な“天地一体”の設計により、最も手軽に変更、増減、調節できる支持組み合わせを提供し、マットレスという巨大物体を簡単に制御できる“おもちゃ”に変えた。これは名実ともに個人専用のベッドであり、表生地が透明である場合、顧客の身体における核心圧力点を追跡して、名実ともに個人専用のベッドを組み合わることができる。
【００８９】
一般的なマットレスはかさばって重たく、シーツ交換のためにマットレスを少しだけ動かすにも、非常に大きな力が必要である。さらに、一部のマットレスは、特定位置の物理的疲労を低減させるため、定期的に向きを変えることを推奨しているため、大勢が出動しないとできない。毎年、マットレスの運搬、向き変えとシーツ交換によって数えきれないほど損傷や怪我が発生しており、事実上社会の労働力を無駄にしている。これに対し、本マットレス構造１は、組み合わせ構造であり、取り外して運搬可能で、軽くて便利な特徴から、大掛かりな運搬などの問題を解決できる。
【００９０】
さらに、一部の緩和主要支持領域又は部材が長期の受圧によって疲労損傷しても、手軽に取り換えられるため、非常に簡単で、あまり労力を必要としない。また、スプリングマットレスのように、個別位置に疲労損傷若しくは凹みがあっただけでマットレス全体を廃棄せざるを得ないという不便で不経済なこともないため、マットレス構造１は非常に環境に優しいと言える。軽い組み合わせ部材であるため、ユーザは躊躇や心配することなく、個人の必要に応じていつでもＤＩＹが可能で、材料の組み合わせを毎日変更しても簡単にできる。
【００９１】
市場は“腹黒”なマットレスだらけで、消費者がマットレスを開けて検査することがなかなか難しい一方、平均的に人生の三分の一の時間をマットレスと密接して過ごすことになるため、衛生上の問題が注目されている。“腹黒”なマットレスではなくても、マットレスは細菌とダニの温床であり、一つのマットレスを八年も十年も長く使っているうち、ユーザは細菌と昼夜接していることになる。
【００９２】
上記の問題に対し、本マットレス構造１の開放式設計は完ぺきな解決法である。まず、本マットレス構造１は“開けられる”マットレスであり、ユーザが各部分を自由に組み合わせることが可能であり、構造がはっきり見える。中身の構造を見ることができるとともに、体格及び睡眠習慣に基づいて、ユーザ自ら主要緩和レベル及び部材配列を変更し、上下に移動させることが可能であり、さらにより厚い又はより薄い材料を選択したり、任意の単独材料を随時取り換えたり補充することが可能であり、環境保護に有利である。
【００９３】
また、マットレス構造１は開放式であるため、その中身として異なる組み合わせを取り入れて、ユーザに更なる快適さを提供し、システム全体の機能を高めることができる。例えば、冬は発熱パッドを取り入れて、夏は冷感パッドを取り入れて、必要であればマッサージパッドを取り入れることもできる。
【００９４】
緩和層５を分解することができる。顧客は緩和層５を単独に購入し、従来所有する任意のタイプのマットレスに活用することができるため、従来のマットレスの圧力緩和機能を強化するマットレス修正手段としても使える。
【００９５】
このマットレス構造１は、まるでオーダーメードのように、個人の体形に基づいてその中身を移動させることが可能である。マットレス構造１は、肩及び臀部に対応する二つの高レベルの核心圧力緩和部材を有し、異なる体型の人に対し、肩と臀部の位置を異なる点置くことができる。特に背が高くて体格のいい人、又は猫背といった体格に特徴がある人でも、オーダーメードのように、自分の必要に応じて中身の配置を変えることができる。
【００９６】
このマットレス構造１は、個人の睡眠品質を改善できるだけではなく、その手軽で便利、衛生的で安全、材料の節約などの特徴から、我々の生活の品質及び快適さを高め、さらに生態環境のバランス維持にも有利である。
【００９７】
睡眠研究の専門家の長年に亘る研究によると、ほとんどの人は習慣的に仰向き及び横向きに寝るが、極少数でありながらうつ伏せに寝る人もいる。また最近、マッサージ師を自宅に招いてマッサージや物理療法を受ける人も多く、施術の間は長時間地面に向いてうつ伏せならないといけない。この場合、自宅にマッサージベッドを用意しない限り、うつ伏せで寝ることによって首が歪む恐れがある。そうなると、スムーズな呼吸を維持できないほか、肩首の疲労損傷を起こし、本末転倒である。市販のマットレスがこのような一部ユーザの特殊な要望を満足できないなか、本発明は難題を突破し、極一部のユーザのニーズにも応えられる。
【００９８】
更に別の実施形態において、マットレス構造１を変換可能なマットレス構造１Ａ／１Ｂにすることができる。該マットレス構造１Ａはマットレスからマッサージマットレス１Ｂに変換可能である。図１７ないし図２０Ｆが示すように、マットレス構造１Ａ／１Ｂは緩和層５、支持層４、パッド層３、ボトムトレー２とカバー６を含む。これらの部分の配列又は配置はマットレス構造１と差異がない。マットレス構造１Ａ／１Ｂがマットレス構造１に対する最大の相違点は、緩和層５の第一領域７１にある。マットレス構造１Ａ／１Ｂの緩和層５の第一領域７１は三つの緩和部材５１、５２と５３を含み、それぞれの幅が１３寸、１０寸と２寸である。緩和層５１はさらにユーザの顔面部を収納するための孔１０を有する。この孔１０とカバー６の上の孔１１、パッド層３の孔１２と支持層４の孔１３との位置を合わせることで、ユーザは顔面部を直接カバー６又は緩和層５に当てる必要がなくなり、呼吸を助ける。
【００９９】
マットレス構造１Ａはマットレスとしてユーザの休息又は睡眠に用いられ、図１８と２０Ａが示すように、緩和層５は緩和ユニット５１、５２と５３の順位構成されている。孔１０は充填物に充填されている。カバー６の上の孔１１、緩和ユニット５１の孔１０、支持層４の孔１３とパッド層３の孔１２は連通していない。図２０Ｃと２０Ｆが示す通り、孔１２と１３はそれぞれパッド層３と支持層４の縁部から内へ約８寸の位置に設けられている。
【０１００】
ボトムトレー２は通気構造孔１４を有し、緩和層中、支持層中とパッド層中の孔と流体連通している。
【０１０１】
横向きに寝る習慣、仰向きに寝る習慣、異なる体格、異なる身長、硬さの好みが異なる人に対し、新しい発明は簡単に対応できるほか、うつ伏せに寝る習慣を持つ少数の人場合も、第一領域１７の一部組み合わせを取り換えるだけで、うつ伏せのための通気孔が出来上がり、これからうつ伏せに寝る人も頸椎を曲げて寝る必要がなくなり、頸椎損傷のリスクを大いに低減できる。この設計により、自宅でマッサージを受けることが好きな人にも利益をもたらす。マッサージの時、うつ伏せの姿勢が心地よいため、この新しいマットレスがあれば、首を曲げて我慢する必要がなくなる。また、この新しいマットレスは、例えばドイツ人、フランス人など、特大な枕又は四角い枕を使い慣れているユーザにも有用である。
【０１０２】
図１９、２０Ｂ、２０Ｄと２０Ｅが示すように、当該マットレス構造１Ａをマットレス構造１Ｂに変換する場合、充填物を取り外せば、孔１０が現れる。緩和層５の緩和ユニット５３は緩和ユニット５１の前に移動される。緩和ユニット５１と５２は順に配列され、かつ、ユニット５３の一つの辺がカバー６の一つの縁と平らになるまで、矢印Ｂの方向へ移動される。この時、孔１０と孔１１、１２、１３の位置が合わせって、線形に繋がり、ユーザの呼吸を助ける気道となる。このように、ユーザは図１７のようにマッサージマットレス１Ｂの上にうつ伏せになっても自由に呼吸できる。好ましくは、ボトムトレー２は縁部２２と２４に通気構造１４を有し、マッサージマットレス１Ｂ以外の空気は通気構造１４、孔１３、１２、１０と１１を通ってユーザの顔面部へ流れることができる。ユーザが排出した廃気も孔１１、１０、１２、１３と通気構造１４によってマッサージマットレス１Ｂの外へ流れる。該通気構造１４は一つ又は複数の孔を含む。
【０１０３】
図２２ないし２４Ｂが示すように、より多くの国と民族の異なる体型に対応すべく、別の実施形態では、図２１ないし２４Ｂが示すマットレス構造１には特別に補充支持ユニット８０又は“腰保護パッド”と呼ばれる構造を加えられている。図２４Ａと２４Ｂが示すように、該補充支持ユニット８０は二種類以上の寸法を有し、かつ補充支持ユニット８０の寸法毎に二種類以上の硬さがある。該補充支持ユニット８０をパッド層３と緩和層５の間に設置してもよい。図２１ないし２３が示すように、該補充支持ユニット８０を緩和ユニット５４と５５の上の位置又はユニット５４の上の位置に設置している。該補充支持ユニット８０の第二領域７２の緩和ユニット５４ないし５８により、１００を超える組み合わせを得ることが可能であり、異なる体型の人に対し、選択と応用の幅が広い。
【０１０４】
新しい発明のマットレスは一方向一面で使用され、マットレスを“寝返り”させるため骨を折ることなく、その快適な支持は“両面用マットレス”の二倍であり、高さ８”で“両面”の高さ１６”に匹敵する楽しみが得られる。“寝返り”が必要な両面用スプリングマットレスは、その設計上、表裏ともに同じ快適層を必要とする。しかし、ユーザにとってその一面しか必要なく、もう一面がベッドフレームに向けられ、実に無駄である。ここで、新しい発明のマットレスはその厚さが両面用スプリングマットレスの半分しかないが、同じような効果が得られる。この新しい発明のマットレスには、金属スプリングのかわりに独自の“スプリング”（図７）が配置され、この“スプリング”は弾力性に優れており、安定性も耐久性もよく、金属疲労や音を立てることなく、また人に刺さり怪我をさせる恐れもなく、支持層としては最適である。
【０１０５】
新しい発明の“開放”設計は新たな突破点であり、“開放”によって、マットレスの中身材料を見ることが可能となり、安心して眠れるほか、中身材料を取り出して洗濯消毒し、臭いを取ることができる。“開放”のもう一つの効果は、健康、快適さと環境保護を結び付けて、マットレスの“分割”販売を初めて実現し、即ち、マットレス構造１の全ての部材、例えば支持部材４１ないし４３及び緩和部材５１ないし５９はすべて単独販売、単独交換が可能である。新しい発明のマットレスの“開放”式設計により、ユーザが何度もマットレスの使用状況を確認できるようになり、ユーザが自分の体形身長にあった組み合わせを自ら調整して配置し、ある部分が故障した場合でも、単一部材を単独に修理又は交換することが可能になり、マットレス全体を廃棄すること、又は心地悪い状況に我慢する必要がなくなった。廃棄により無駄や環境負担が生じる一方、長期に亘って心地悪い状況に我慢することは間違いなく健康に害を来す。多くの人はこのどっちを取るかに悩まされてきたが、この難題を解消できる。
【０１０６】
快適パッド層３とカバー６を緩和層５、支持層４又は一般的なマットレスから取り外し、単独に洗濯することが可能である。また、季節の寒暖によって、異なる材料を用いることが可能で、例えば、酷寒の季節は羽毛、羊毛など保温性の高い材料、さらに高価な毛皮を選び、酷暑の季節は竹編み物、木材再生繊維など通気性に優れた涼しい材料を選ぶことで、冬は暖房を節約し、夏は冷房を節約することができる。これにより、節電と汚染排出を低減できるとともに、ユーザにも快適と健康をもたらす。洗濯と日干しを簡単にするため、マットレスを二つに分けて、その間をフェスナーで接続してもよい。同じ季節であっても、例えば夏の場合、寒がりの人はずっと保温材料を使用し、暑がりの人は涼しい材料に変えて、一つのマットレスに二種類の異なる材料を同時に併用することができる。
【０１０７】
新しい発明はＬＥＧＯ式の組立てであり、材料が軽く、もち運びと組立てが簡単で、運送手配待ちで時間を費やす必要がなく、社会資源の無駄を省く。
【０１０８】
新しい発明は、人類の脊柱を守り、人類の一層の長寿の実現に備えるという長期且つ壮大な目標を掲げると同時に、現段階の急務として、睡眠品質の改善、作業効力化の間接強化、交通労災事故の低減、細菌ダニの退治に取り組んでいる。本発明は、衛生環境を改善し、鼻炎や皮膚過敏を和らげ、運搬難度を低減させ、ユーザがお金を使って苦労すること（マットレスの向きを頻繁に変えること）をなくし、ユーザに温かくて思いやりのサービスを提供し、季節によって“衣装”を変えられる“衣替え”マットレスを始めて実現し、マットレス部材の“小売”を始めて行い、無駄を減らし、炭素排出を低減させ、全人類に向けたサービスを提供し、大小問わず対応可能であり、世紀の発明である。
【０１０９】
本発明の別の実施形態は、本発明のマットレス構造１の技術的特徴を利用して、ユーザに上記マットレス構造の使用に関する理解及び適応を促し、かつ該マットレス構造に適応するか否かをユーザに決めさせる使用方法を提供する。マットレス構造１は緩和層５を含む。該緩和層５は二つ以上の独立した緩和部材５１ないし５９によって構成される。これらの緩和部材５１ないし５９は交換移動が可能な脱着構造である。少なくとも一部の緩和部材５１ないし５９が交換使用可能である。上記緩和層５は二つ以上の緩和領域に分けられ、これらの緩和領域はユーザの体の異なる部位に対応して区分されており、少なくとも一つ以上の上記緩和領域が異なる寸法の緩和部材５１〜５９によって構成され、そのうち少なくとも一つの緩和部材５１〜５９が主要緩和部材であり、該主要緩和部材が提供する緩和力がその他の緩和部材５１-５９が提供する緩和力より高く、これら緩和領域における緩和部材５１〜５９をユーザの個人ニーズに合わせて交換又は調節可能である。これにより、前記主要緩和部材が緩和領域における相対位置を変えて、異なるユーザの異なる身長と体の異なる部位の長さに対応することができる。ユーザは個人のニーズに基づき、上記主要緩和部材が緩和領域における相対位置を変えることで、サンプルマットレス構造を試し、上記マットレス構造１の使用について理解し、かつ当該マットレス構造１の使用に適しているか否かを決める。図１２と１３が示すように、緩和部材５１ないし５９は異なる幅を有し、異なる緩和部材５１ないし５９を交換して、異なるユーザの異なる腰の長さと背中の長さに適した組み合わせの緩和層５が得られる。これらの緩和部材５１ないし５９は脱着可能であるため、緩和層５の掃除はとても簡単で、もち運びも便利である。さらに、そのうちの一つの緩和部材を使い古した場合、その他の緩和部材を影響せずに、この一つの緩和部材を交換や補充することができる。
【０１１０】
以上に述べた緩和層５の特徴により、販売者は顧客に試用のためのサンプルを提供することができる。サンプルを、顧客が自ら持ち帰っても、販売者が配送してもよい。サンプルは、試用した後に必ず販売者に返還され、ほかの顧客にも再利用されるため、無駄が生じることはない。販売者は、顧客別に適切な緩和部材５１ないし５９の配列順及び主要緩和部材５２と５６がその他の緩和部材５１ないし５９に対する位置を計測して鑑定するための測定装置を用意している。また、顧客に個人向けの配列説明書を提供する。さらに、顧客のためサンプル緩和部材５１ないし５９を該配列順に従って配列すると、顧客はこれを持ち帰ることができる。配列説明書があるため、サンプルの配列順が乱れても、顧客は説明書に基づいて自ら並べ直すことができる。顧客がサンプルを試した後、該緩和層５が自分のニーズに合うか否かを把握でき、該緩和層５に適応するきっかけになる。試用の過程において、顧客はサンプル緩和層５１ないし５９を自由に交換することで、個人のニーズに合わせて調整した配列にすることができる。好ましくは、顧客はサンプルを自宅に持ち帰って使用し、販売者が定めた試用期間を利用して、一般的に１０日間から二週間の間、徹底的に検証することができる。さらに、顧客が新しい緩和層５の購入金額又は保証金を支払った後、販売者は顧客に販売商品が提供するサンプルを必ず持ち帰るように指定し、さらに一定期間において検証を行う。また、顧客には必ず外部影響がない状態でサンプルを試用し、該緩和層５に対する自分のニーズを明確に理解するよう促す。試用を経て、顧客が自分専用の緩和層５を希望される場合、販売店に出向いて、該商品の試用に適していることを確認し、既に支払った新しい緩和層５を持ち帰ることができる。購入確定又はサンプル返還時に、既に支払った緩和層５の配達を依頼することができる。試用を経て、顧客は自分専用の緩和層５の継続所有を希望しない場合、サンプルを返還するとともに、支払った費用をその他の商品の購入に変更することができる。こうすることで、まず、顧客は購入する商品が自身のニーズに合っているか否か、さらに重要なのは、自身が当該商品の使用に適しているか否かを明確にすることができる。次に、環境への負担を低減できる。一般的に、顧客は自分に合わない又は自分のニーズに適していない対象を処分するため、無駄が生じる。また、販売者が返品された商品を新たに包装して販売することを防止できる。
【０１１１】
返品された緩和層とカバーは徹底的に清掃される。きれいに清掃／整理され、消毒された緩和層とカバーは、サンプルとしてその他の顧客に試用されることになる。
【０１１２】
さらに、販売者はサンプル緩和層をカバーするための整理可能又は取り外し可能なカバーを顧客に提供してもよい。また、販売者はさらに緩和部材５１ないし５９の相対位置を固定するためのボトムトレー２を提供してもよい。
【０１１３】
好ましくは、緩和層５のサンプル試用は緩和層５を購入する必須ステップである。
【０１１４】
好ましくは、サンプル緩和層５の寸法が一般的なマットレスの寸法と異なる。サンプルの長さは７２寸、幅３０寸である。こうすることで、顧客又は販売者は通常の商品とサンプルを間違えることなく、サンプル緩和層を通常の緩和層として販売することもできない。
【０１１５】
好ましくは、サンプル緩和層は小箱包装され、持ち運びが便利である。
【図１Ａ−１Ｂ】
2016506797.tif 000003
【図２】
2016506797.tif 000004
【図３】
2016506797.tif 000005
【図４Ａ−４Ｂ】
2016506797.tif 000006
【図５】
2016506797.tif 000007
【図６】
2016506797.tif 000008
【図７】
2016506797.tif 000009
【図８】
2016506797.tif 000010
【図９】
2016506797.tif 000011
【図１０】
2016506797.tif 000012
【図１１】
2016506797.tif 000013
【図１２】
2016506797.tif 000014
【図１３】
2016506797.tif 000015
【図１４Ａ】
2016506797.tif 000016
【図１４Ｂ】
2016506797.tif 000017
【図１４Ｃ】
2016506797.tif 000018
【図１４Ｄ】
2016506797.tif 000019
【図１５】
2016506797.tif 000020
【図１６Ａ】
2016506797.tif 000021
【図１６Ｂ】
2016506797.tif 000022
【図１７】
2016506797.tif 000023
【図１８】
2016506797.tif 000024
【図１９】
2016506797.tif 000025
【図２０Ａ】
2016506797.tif 000026
【図２０Ｂ】
2016506797.tif 000027
【図２０Ｃ】
2016506797.tif 000028
【図２０Ｄ】
2016506797.tif 000029
【図２０Ｅ】
2016506797.tif 000030
【図２０Ｆ】
2016506797.tif 000031
【図２１】
2016506797.tif 000032
【図２２】
2016506797.tif 000033
【図２３】
2016506797.tif 000034
【図２４Ａ】
2016506797.tif 000035
【図２４Ｂ】
2016506797.tif 000036
【国際調査報告】
2016506797.tif 000037
2016506797.tif 000038
2016506797.tif 000039
2016506797.tif 000040
2016506797.tif 000041
2016506797.tif 000042